(57)【要約】【課題】組立作業性がよい安価な鍵材を提供する。【解決手段】電子部品（ＩＣタグ２６）を収容するケース１６と、予め設定したキーコード１２を形成したブレード部１１およびケース１６を収容するケース収容部１４を形成したヘッド部１３を有するキープレート１０と、ヘッド部１３およびケース１６を被覆するカバー２２とを備えた鍵材において、カバー２２を、キープレート１０のヘッド部１３が内部に位置するように挿通させる挿通孔２３を形成した環状とし、ケース１６に、キープレート１０に対するカバー２２の差込方向先端縁に当接してカバー２２の差込方向の移動を規制する突起部１９を設けた構成としている。【選択図】図１
2008208548.tif 000002
【特許請求の範囲】
【請求項１】
電子部品を収容するケースと、予め設定したキーコードを形成したブレード部および前記ケースを収容するケース収容部を形成したヘッド部を有するキープレートと、前記ヘッド部およびケースを被覆するカバーとを備えた鍵材において、
前記カバーを、前記キープレートのヘッド部が内部に位置するように挿通させる挿通孔を形成した環状とし、
前記ケースに、前記キープレートに対するカバーの差込方向先端縁に当接して該カバーの差込方向の移動を規制する突起部を設けたことを特徴とする鍵材。
【請求項２】
前記キープレートのケース収容部を、前記ヘッド部の一側縁を開口させた切欠部により構成し、
前記突起部を、前記ケースの両面に対向するように一対設け、これら突起部で前記切欠部の縁を挟み込むようにしたことを特徴とする請求項１に記載の鍵材。
【請求項３】
前記カバーの挿通孔の内面に、前記切欠部におけるカバーの差込方向後側の縁に係合する係合爪部を突設したことを特徴とする請求項２に記載の鍵材。
【請求項４】
前記ケースの突起部を、前記カバーから外部に露出するように構成し、該突起部を、ケースが収容する電子部品の送信コードの違いを識別するための識別手段として兼用したことを特徴とする請求項１乃至請求項３のいずれか１項に記載の鍵材。
【発明の詳細な説明】
【技術分野】
【０００１】
本発明は、電子部品を内蔵した鍵材に関するものである。
【背景技術】
【０００２】
近年の住宅や車両のドアは、ドアの開放時に特定のユーザを自動認証して解錠可能または自動解錠したり、ドアの閉塞時に自動施錠したりするために、ＩＣタグなどの電子部品が使用されている。また、電子部品による施錠および解錠は、停電時やバッテリーが放電した状態では、使用することができないため、機械的なキーも必要である。そして、これらを別体で構成した場合には、いずれか一方を携帯し忘れる等の不都合が生じるため、電子部品をキーに内蔵させた鍵材が提供されている。
【０００３】
このような電子部品を内蔵した鍵材に関連する先行技術文献情報としては次のものがある。
【０００４】
【特許文献１】特許第３００９５９６号公報
【特許文献２】特開２００４−１６２３２６号公報
【０００５】
特許文献１には、ＩＣタグなどの電子部品を樹脂により一次モールドし、このモールド体をキープレートに嵌合させた状態で、更に樹脂により二次モールドする構成とした鍵材が記載されている。また、特許文献２には、ブレードのヘッド部に電子部品を配設し、この電子部品を一対の硬質カバーによって挟み込むようにして装着する構成とした鍵材が記載されている。
【０００６】
しかしながら、前者の鍵材は、電子部品を搭載するために２回のモールド加工を施す必要があるため、製造工程が複雑であり、コスト高になるという問題がある。また、後者の鍵材は、モールド加工を必要としないため、コスト面に問題はないが、電子部品を位置決めした状態で一対のカバーを係合により組み付ける必要があるため、組立作業性が悪いという問題がある。
【発明の開示】
【発明が解決しようとする課題】
【０００７】
本発明は、従来の問題に鑑みてなされたもので、組立作業性がよい安価な鍵材を提供することを課題とするものである。
【課題を解決するための手段】
【０００８】
前記課題を解決するため、本発明の鍵材は、電子部品を収容するケースと、予め設定したキーコードを形成したブレード部および前記ケースを収容するケース収容部を形成したヘッド部を有するキープレートと、前記ヘッド部およびケースを被覆するカバーとを備えた鍵材において、前記カバーを、前記キープレートのヘッド部が内部に位置するように挿通させる挿通孔を形成した環状とし、前記ケースに、前記キープレートに対するカバーの差込方向先端縁に当接して該カバーの差込方向の移動を規制する突起部を設けた構成としている。
【０００９】
本発明の鍵材では、ＩＣタグなどの電子部品を収容したケースをキープレートのケース収容部に組み付けた後、キープレートのヘッド部をカバーの挿通孔に挿通させることにより組み付けることができる。即ち、電子部品を内蔵させるためにモールド加工を施す必要がないため、製造コストが高くなることを防止できるうえ、電子部品の熱に対する対策を施す必要がない。また、カバーは、一対のカバー部品を組み付けるのではなく、１個のカバーの挿通孔に挿通させるだけであるため、組立作業性を向上できる。
【００１０】
さらに、キープレートに対するカバーの挿通作業は、突起部に当接することにより規制されるため、確実に所定位置に装着することができる。しかも、突起部は、キープレート装着するケースに設けているため、キープレートは均一な厚みで形成することができる。その結果、キープレートの加工が容易であるため、製造コストが高くなることを防止できる。
【００１１】
この鍵材では、前記キープレートのケース収容部を、前記ヘッド部の一側縁を開口させた切欠部により構成し、前記突起部を、前記ケースの両面に対向するように一対設け、これら突起部で前記切欠部の縁を挟み込むようにすることが好ましい。このように、ケースを切欠部に収容させる構成としているため、鍵材のヘッド部の肉厚を薄くできる。しかも、一対の突起部によりキープレートに収容させた状態を維持できるため、組立作業性を向上できる。しかも、突起部は、キープレートに対する位置決めおよびカバーの規制を兼用するため、構造の簡素化および製造コストの低減を図ることができる。
【００１２】
この場合、前記カバーの挿通孔の内面に、前記切欠部におけるカバーの差込方向後側の縁に係合する係合爪部を突設することが好ましい。このようにすれば、組立状態の鍵材を容易に分解することができない。また、固定のためにネジ止めする必要もないため、特定部分に負荷が集中することによる破損を防止できる。
【００１３】
また、前記ケースの突起部を、前記カバーから外部に露出するように構成し、該突起部を、ケースが収容する電子部品の送信コードの違いを識別するための識別手段として兼用することが好ましい。このようにすれば、突起部を見ることにより、各ユーザで予め指定した保有者を区別することができる。例えば、この鍵材をマンションなどの集合住宅の施解錠装置に適用した場合、各住戸に渡す鍵材の本数分を色分けすることにより、鍵材を紛失した時には、その鍵材だけの登録抹消を個別に行うことができる。即ち、識別のための新たな構造を設けることなく、電子部品を保持する役割を担うケースに設けた突起部が識別の役割を兼ねるため、製造コストを低減できる。
【発明の効果】
【００１４】
本発明の鍵材では、モールド加工を施すことなく、電子部品を収容したケースをキープレートのケース収容部に組み付けた後、キープレートのヘッド部をカバーの挿通孔に挿通させることにより組み付けることができるため、製造コストが高くなることを防止できる。また、カバーは、一対のカバー部品を組み付けるのではなく、１個のカバーの挿通孔に挿通させるだけであるため、組立作業性を向上できる。
【発明を実施するための最良の形態】
【００１５】
以下、本発明の実施の形態を図面に従って説明する。
【００１６】
図１（Ａ），（Ｂ）および図２（Ａ），（Ｂ）は、本発明の実施形態に係る鍵材を示す。この鍵材は、図１（Ａ）に示すように、大略、キープレート１０と、ケース１６と、カバー２２とからなり、前記ケース１６に電子部品であるＩＣタグ２６を収容させて一体的に組み付けたものである。
【００１７】
前記キープレート１０は金属製であり、略長方形状をなすように延びるブレード部１１と、略長円形状をなすヘッド部１３とを備え、これらの肉厚が均一な板状のものである。ブレード部１１には、表面積が広い上下面に、予め設定された溝からなるキーコード１２が刻設されている。なお、このキーコード１２は、シリンダ錠に対応して変更される。ヘッド部１３は、ブレード部１１の長手方向の一端に連設され、その長手方向がブレード部１１の長手方向と同一方向となるように設けられたものである。このヘッド部１３には、長手方向と直交する方向に位置する一側縁を開口部１４ａとした矩形状の切欠部からなる溝状のケース収容部１４が設けられている。また、ヘッド部１３には、ブレード部１１と反対側に位置する端部近傍に、楕円形状をなすように肉厚を貫通するように設けたキーリング挿通孔１５が設けられている。なお、キーリング挿通孔１５は平面視楕円形状に限られず、円形状や矩形状など希望に応じて変更が可能である。
【００１８】
前記ケース１６は、樹脂（例えばＡＳＡ（acrylate styrene acrylonitrile））製であり、ケース収容部１４に差し込むようにして収容されるものである。このケース１６は、キープレート１０と同一の肉厚で、ケース収容部１４の内周縁との間に所定の隙間が形成される大きさの矩形状に形成されている。このケース１６の一面には、ＩＣタグ２６を収容するために円形状に窪む収容凹部１７が形成されている。また、ケース１６の外周縁には、ケース収容部１４の内周縁との間に生じる隙間によるガタツキを防止するために、半円柱形状に膨出するリブ１８が設けられている。
【００１９】
そして、本実施形態のケース１６には、上下の両面から対向するように略直角三角形状をなす一対の突起部１９，１９が設けられている。これら突起部１９，１９は、ケース収容部１４への収容状態では、該ケース収容部１４の幅方向の中央に位置するように形成されている。また、収容時にはブレード部１１の側に位置される。そして、後述するカバー２２の装着時には、図２（Ａ），（Ｂ）および図３（Ａ）に示すように、カバー２２の差込方向先端縁が、その差込方向に対して直交方向に延びる突起部１９，１９の当接面１９ａに当接することにより、該カバー２２の差込方向の移動を規制するように構成している。また、これら突起部１９，１９の対向面１９ｂ，１９ｂは、外周縁から外向き（カバーの差込方向前向き）に突出するように形成され、これら対向面１９ｂ，１９ｂによってケース収容部１４の縁に位置するヘッド部１３の表面を挟み込むように構成している。なお、突起部１９，１９において、当接面１９ａと対向面１９ｂにかけて延びる表面１９ｃは、後述するカバー２２の表面形状と一致する傾斜面または湾曲面とされている。さらに、表面１９ｃには、収容するＩＣタグ２６の送信コードに基づいて予め設定した種々異なる配色で着色加工が施され、その配色の違いにより送信コードを識別するための識別手段として兼用される。
【００２０】
また、本実施形態のケース１６には、前記突起部１９，１９と反対側の縁上下に、後述するカバー２２の係合爪部２５をケース収容部１４の内面に係合可能とするための切欠部２０，２０が設けられている。さらに、この切欠部２０，２０を設けた縁の稜部は面取部２１とされている。この面取部２１は、ケース１６をキープレート１０に対して、前記突起部１９，１９によって片持ち状態で装着されることによる上下方向の位置ズレで、縁がキープレート１０の表面から突出することによる後述するカバー２２の装着の阻害を防止するためのものである。
【００２１】
前記カバー２２は、樹脂（例えばポリプロピレン）製であり、キープレート１０のヘッド部１３においてケース収容部１４を含む中間位置を被覆するものである。このカバー２２は、長円の長尺な対向縁２２ａ，２２ａを内向きに湾曲させた平面視略∞形状をなし、その肉厚はキープレート１０より厚く形成されている。そして、このカバー２２には、その肉厚の中間位置を対向縁２２ａ，２２ａにかけて貫通し、ヘッド部１３が内部に位置するように挿通させる挿通孔２３が矩形状をなすように設けられている。これにより、カバー２２は、側面視で環状をなす。
【００２２】
そして、本実施形態のカバー２２には、ヘッド部１３に対する差込方向先端縁の中央に、突起部１９，１９が外部に露出するように内嵌させる切欠部２４，２４が設けられている。そして、この切欠部２４の両側に位置する表面が、突起部１９，１９の表面１９ｃ，１９ｃと形状が一致するように構成されている。また、カバー２２の挿通孔２３の内面には、差込方向後側に位置するように、ケース収容部１４の差込方向後側の内縁に係合する略直角三角形状をなす係合爪部２５，２５が突設されている。
【００２３】
前記ＩＣタグ２６は、従来と同様に、住宅や車両のドアの開放時に特定のユーザを自動認証させ、解錠可能または自動解錠したり、ドアの閉塞時に自動施錠したりするためのものである。このＩＣタグ２６は、図示しないアンテナを内蔵したもので、例えば住宅または車両に搭載した制御部からの応答信号を受信することにより、微弱な起電力が発生し、その電力で、それぞれ予め設定された異なる送信コードを出力する。これにより、その送信コードを受信機を介して受信した制御部は、解錠または施錠を行う。
【００２４】
前記構成の鍵材を組み立てる場合には、図１（Ａ）に示すように、まず第１工程として、ＩＣタグ２６をケース１６の収容凹部１７に対して収容（ＩＣタグ挿入方向Ｘ）させる。この際、収容凹部１７内に接着剤や粘着テープを配設し、該収容凹部１７内にＩＣタグ２６を移動不可能な状態に固着してもよい。
【００２５】
ついで、第２工程として、ＩＣタグ２６を収容させたケース１６をキープレート１０のケース収容部１４に対して収容（ケース差込方向Ｙ）させる。この際、突起部１９がブレード部１１の側に位置するように配置するとともに、これら突起部１９，１９でケース収容部１４の縁を上下から挟み込むように差し込む。これにより、ケース１６は、作業者が手で保持しなくても、脱落しない状態に維持できる。また、この差込作業は、ケース１６の外周縁にリブ１８を設けた構成であるため、差込時の作業性を向上できる。具体的には、ケース１６の外周縁とケース収容部１４の内周縁との抵抗を削減できるため、作業性を向上できる。また、ケース収容部１４またはケース１６に製造誤差が生じている場合、特に、ケース収容部１４に対してケース１６が大きく形成されている場合には、その組付作業は非常に困難になるが、本実施形態では、リブ１８が押し潰されるように変形することにより、組付不可能な状態になることを防止できる。
【００２６】
最後に、第３工程として、ケース１６を収容させたキープレート１０のヘッド部１３に対してカバー２２を差し込んで（カバー差込方向Ｚ）被覆させる。この際、切欠部２４，２４が差込方向先端に位置するように配置して差し込む。そして、この差込作業では、まず、挿通孔２３内に突出する係合爪部２５，２５がヘッド部１３の縁に当接する。そのため、カバー２２が外向きに変形するようにして圧入することにより、係合爪部２５，２５がキーリング挿通孔１５を越え、切欠部２４が突起部１９，１９の当接面１９ａ，１９ａに当接すると、差し込みが規制されるとともに、係合爪部２５がケース１６の切欠部２０内に位置する。これにより、カバー２２が弾性的に原状に復元して、係合爪部２５がケース収容部１４の内縁に係合する。また、カバー２２の装着時に、片持ち状態のケース１６が傾き、突起部１９，１９の逆側の縁がキープレート１０の表面から突出していても、カバー２２が面取部２１に当接することにより、ケース１６をケース収容部１４内に押し込みながらスムーズに装着することができる。
【００２７】
このように、本発明の鍵材では、ＩＣタグ２６などの電子部品を収容したケース１６をキープレート１０のケース収容部１４に組み付けた後、キープレート１０のヘッド部１３に対してカバー２２を挿通させることにより組み付けることができる。
【００２８】
即ち、電子部品を内蔵させるためにモールド加工を施す必要がないため、製造コストが高くなることを防止できるうえ、電子部品に対して熱対策を施す必要がない。しかも、肉厚の違いにより生じるヒケが表面に現れることによって、外観を損なうことを防止できる。また、カバー２２は、一対のカバー部品を組み付けるのではなく、１個のカバー２２の挿通孔２３に挿通させるだけであるため、組立作業性を向上できる。即ち、固定のためにネジ止めする必要もないため、特定部分に負荷が集中することによる破損を防止できる。
【００２９】
さらに、キープレート１０に対するカバー２２の組付作業は、突起部１９に当接することにより規制されるため、確実に所定位置に装着することができる。しかも、突起部１９は、キープレート１０に装着するケース１６に設けているため、キープレート１０を均一な厚みで形成することができる。その結果、キープレート１０の加工が容易であるため、製造コストが高くなることを防止できる。
【００３０】
また、ケース１６を切欠部からなるケース収容部１４に収容させるため、鍵材のヘッド部１３の肉厚を薄くできる。しかも、突起部１９は、キープレート１０に対する位置決めおよびカバー２２の規制を兼用するため、構造の簡素化および製造コストの低減を図ることができる。
【００３１】
なお、このようにして組み立てた鍵材は、図４および図５（Ａ），（Ｂ）に示すように、左右対称な形状をなし、背面は、図３の正面図に示すように、ブレード部１１とヘッド部１３に対して同一方向に延びるように配置すると、正面図と同一に現れ、いずれの方向からでもシリンダ錠に差し込むことが可能になっている。
【００３２】
この組付状態では、図１（Ｂ）および図３に示すように、ケース１６に形成した突起部１９，１９がカバー２２の切欠部２４から外部に露出する。そして、本実施形態では、ケース１６の突起部１９を、着色することにより識別手段として兼用しているため、各ユーザで予め指定した保有者を区別することができる。例えば、この鍵材をマンションなどの集合住宅の施解錠装置に適用した場合、各住戸に渡す鍵材の本数分を色分けすることにより、鍵材を紛失した時には、その鍵材だけの登録抹消を個別に行うことができる。即ち、識別のための新たな構造を設けることなく、電子部品を保持する役割を担うケース１６に設けた突起部１９が識別の役割を兼ねるため、製造コストを低減できる。
【００３３】
また、組付状態では、キープレート１０に形成したキーリング挿通孔１５がカバー２２を貫通して露出する。そして、金属製のキープレート１０にキーリング挿通孔１５を設けているため、キーリング挿通孔１５に大きな力（張力）が作用した場合でも鍵材が破壊することがない。
【００３４】
さらに、図６（Ａ）に示すように、カバー２２は、差込方向先端の切欠部２４が突起部１９を内嵌し、差込方向後側の係合爪部２５がケース収容部１４の内縁に係合するため、簡単には分離（分解）できない状態を確実に維持できる。さらに、図６（Ｂ）に示すように、ケース１６は、キープレート１０と同一の肉厚となるように形成されているうえ、切欠部２４に突起部１９が嵌合されているため、ケース収容部１４およびカバー２２の内部でガタツキが生じることはない。
【００３５】
なお、本発明の鍵材は、前記実施形態の構成に限定されるものではなく、種々の変更が可能である。
【００３６】
例えば、前記実施形態では、ヘッド部１３においてブレード部１１と反対側の端部からカバー２２を差し込むように構成したが、ケース収容部１４に対して突起部１９がブレード部１１と反対側に位置するようにケース１６を装着し、ブレード部１１の側からカバー２２を装着するようにしてもよい。
【図面の簡単な説明】
【００３７】
【図１】本発明の鍵材を示し、（Ａ）は分解斜視図、（Ｂ）は組立状態の斜視図である。
【図２】ケースを示し、（Ａ）は平面図、（Ｂ）は断面図である。
【図３】鍵材の正面図である。
【図４】鍵材の平面図である。
【図５】（Ａ）は鍵材の左側面図、（Ｂ）は鍵材の右側面図である。
【図６】（Ａ）は図３のＡ−Ａ線断面図、（Ｂ）は図３のＢ−Ｂ線断面図である。
【図７】鍵材の変形例を示す正面図である。
【符号の説明】
【００３８】
１０…キープレート
１１…ブレード部
１２…キーコード
１３…ヘッド部
１４…ケース収容部
１４ａ…開口部
１５…キーリング挿通孔
１６…ケース
１７…収容凹部
１８…リブ
１９…突起部
１９ａ…当接面
１９ｂ…対向面
１９ｃ…表面
２０…切欠部
２１…面取部
２２…カバー
２２ａ…対向縁
２３…挿通孔
２４…切欠部
２５…係合爪部
２６…ＩＣタグ
【図１】
2008208548.tif 000003
【図２】
2008208548.tif 000004
【図３】
2008208548.tif 000005
【図４】
2008208548.tif 000006
【図５】
2008208548.tif 000007
【図６】
2008208548.tif 000008
【図７】
2008208548.tif 000009